(57)【要約】【課題】側溝溝に被せる側溝蓋を吊り上げる吊り具である。【解決手段】吊り具は、操作体１０に結合の軸体１１に支持体１２を取付け、前記軸体１１に受け体１３と昇降可能な押え体１４を挿通し、前記押え体１４と受け体１３との間にバネ１５を挿入して構成してあり、側溝蓋１の裏面側に雨水溝２を含む範囲に支持体１２が回転可能な回転溝３が形成してある。【選択図】図４
2013108240.tif 000002
【特許請求の範囲】
【請求項１】
表面から裏面に貫通形成の雨水溝を介して側溝蓋を吊り上げる吊り具であって、
前記吊り具を、
操作体に結合の軸体の端部に支持体を取付け、前記軸体の上部に受け体を取り付けると共に軸体に昇降可能な押え体を挿通し、前記押え体と受け体との間にバネを挿入して構成してあり、
側溝蓋の裏面側に、前記支持体が雨水溝に挿入後に回転可能な回転溝を形成することを特徴とする吊り具。
【請求項２】
請求項１の吊り具であって、
回転溝内に、雨水溝に対して任意の角度で、回転停止溝を形成することを特徴とする吊り具。
【発明の詳細な説明】
【技術分野】
【０００１】
本願発明は、道路の端部に設置のＵ字溝に被せる側溝蓋を設置したり、取り外したりすることに使用する側溝蓋の吊り具に関する。
【背景技術】
【０００２】
従来、側溝蓋を吊り上げる装置として特許文献１がある。この特許文献１に開示の装置はクランプ金具、クランプ吊り金具、及び吊り上げ装置など、三つの機構を機能的かつコンパクトにまとめた装置である。
この吊り装置は、側溝蓋に形成されている雨水溝にクランプ金具を挿入して引っ掛けて、クランプ吊り金具を介して吊り上げ装置によって吊り上げ、且つ、移動可能になっている。
【０００３】
【特許文献１】特開２００１−２９５３５９号公報
【発明の概要】
【発明が解決しようとする課題】
【０００４】
側溝蓋は、一般に、使用する前段階において、積層状態でおかれていて、使用に当たって、１枚毎、側溝蓋を手で切り離し、搬送し、Ｕ字溝の上に載置している。このように、人手で作業を行うので、手を挟んだりして、その作業における安全面において課題がある。
また、特許文献１に開示の装置は、雨水溝にクランプ金具を挿入するものであるが、側溝蓋が積層状態のときには隙間がないためクランプ金具が機能しないという課題がある。
そこで、本願発明では、かかる課題を解消するための側溝蓋の吊り具を提供する。
【課題を解決するための手段】
【０００５】
請求項１の側溝蓋の吊り具は、表面から裏面に貫通形成の雨水溝を介して側溝蓋を吊り上げるものであり、この吊り具は、操作体に結合の軸体の端部に支持体を取付け、前記軸体の上部に受け体を取り付けると共に軸体に昇降可能な押え体を挿通し、前記押え体と受け体との間にバネを挿入して構成してある。
また、側溝蓋の裏面側には、前記支持体を雨水溝に挿入した後に、その支持体が回転可能な回転溝が形成してある。
また、請求項２の吊り具は、回転溝内に、雨水溝に対して任意の角度で、回転停止溝が形成してあり、支持体がその回転停止溝内に挿入することによって、吊り具の操作体の回転が阻止されて、支持体が雨水溝から抜けることがなく、より安全に吊ることができる。
【発明の効果】
【０００６】
本願発明の吊り具は、簡便な構成で、側溝蓋を安全に吊ることができる。
【図面の簡単な説明】
【０００７】
【図１】Ｕ字溝の溝側蓋を積層の斜視図である。
【図２】側溝蓋の裏面の斜視図である。
【図３】吊り具の正面図である。
【図４】吊り具の操作準備段階の図である。
【図５】吊り具を雨水溝に挿入した側溝蓋の裏面図
【図６】吊り具を回転し、吊り上げ可能状態の側溝蓋の裏面図である。
【図７】吊り具を回転し、吊り上げ可能状態の側溝蓋の表面図である。
【発明を実施するための形態】
【０００８】
本願発明の一実施の形態を図を参照して説明する。
図１は、断面Ｕ字状のＵ字溝の溝側蓋１であり、積層状態の斜視図である。図２は、側溝蓋の裏面の斜視図である。図３は吊り具の正面図である。図４〜図７は、吊り具を使用して側溝蓋を吊り上げる操作を示す図である。
【０００９】
コンクリート製の側溝蓋１は、断面Ｕ字状のコンクリート製のＵ字溝の蓋として使用する。この側溝蓋１の中央において、前後２箇所に、細長い雨水溝２が表面から裏面に貫通して形成されている。
また、この側溝蓋１の裏面には、前記雨水溝２を含む範囲に、凹状の回転溝３が形成してある。尚、この回転溝３の口径は、後述する吊り具の支持体１２の長さより大きく形成してあり、支持体１２の回転が可能になっている。
【００１０】
また、前記回転溝３の内側には、前記雨水溝２とは所定の角度で、凹状の回転停止溝５が形成されている。なお、本例の回転停止溝５は、雨水溝２に対して垂直に形成してある。また、この回転停止溝５は、後記で詳述する吊り具に付設の支持体１２の長さより長く、且つ、支持体１２がこの回転停止溝５に入ったとき、回転が阻止される深さの溝である。
なお、この回転停止溝５は、後記で詳述するが、必ずしも必要ではない。
【００１１】
次に、図３の吊り具について説明すると、金属製の丸棒である操作体１０の中央には、金属製の丸棒である軸体１１が垂直に結合してあり、その軸体１１の端部には支持体１２が、前記操作体１０と平行に取り付けてある。この支持体１２は金属製の丸棒であり、前記雨水溝２から挿入した後に、回転溝３内で回転可能で、且つ、前記回転停止溝５に挿入可能である。
尚、前記支持体１２の取付け方向は操作体１０と平行の方が、操作体１０を回転したとき支持体１２の位置（方向）がわかりやすいので望ましいが、必ずしも平行である必要はない。
【００１２】
また、前記軸体１１の上部には、後述のバネ１５の反発力を受ける円盤状の受け体１３が固定して取り付けてある。また、軸体１１には、昇降可能な円盤状の押え体１４が挿通してあり、前記受け体１３との間にバネ１５が挿通してある。
【００１３】
次に、図４から図７を参照して、図３に示す吊り具を使用して、側溝蓋１を吊り上げる操作について説明する。図４は吊り具の操作準備段階であり、図５は吊り具を雨水溝２に挿入した側溝蓋１の裏面図、図6は吊り具を回転し、吊り上げ可能状態の側溝蓋１の裏面図、図７は図６に相当する側溝蓋１の表面図であり、吊り上げ可能な状態の図である。
尚、吊り具を使用して側溝蓋１を吊り上げる操作の説明は片方のみであり、他方の吊り具も同様である。
【００１４】
先ず、吊り具の操作体１０を手に持って（図４）、支持体１２を側溝蓋１に形成の雨水溝２から挿入すると、押え体１４は側溝蓋１の表面に載置してバネ１５を圧縮し、支持体１２は側溝蓋の裏面に形成の回転溝３内に到る（図５）。
次に、操作体１０を回転させて、支持体１２を回転停止溝５に嵌合させ、操作体１０から手を離すと、バネ１５の反発力によって、回転停止溝５に嵌合状態の支持体１２は、側溝蓋１の表面に載置した押え体１４とで挟着状態になる。
そのため、操作体１０は水平回転できない状態になり、支持体１２が回転停止溝５から離脱して雨水溝２から抜けることがない（図６、図７）。
この状態の操作体１０を図示しない昇降機で吊り上げても、支持体１２の回転が阻止されていて、支持体１２は雨水溝２から抜けることがないので、より安全に吊り上げることができる。
【００１５】
なお、前記した吊り具が側溝蓋１に装着された状態から、吊り具を取り外すのは、先ず、操作体１０を持って、下方向に押圧して、バネ１５を圧縮させると、支持体１２は回転停止溝５から離脱する。次に、操作体１２を回転させて、支持体１２を雨水溝２に合わせ、その後、引き上げることによって、吊り具を側溝蓋１から外すことができる。即ち、この状態の吊り具は、吊り具を下に押えない限り、雨水溝2から取り外すことができないので、持ち上げる操作をしても外れることがないので安全である。
【００１６】
尚、前記側溝蓋１の裏面には、回転停止溝５が形成してあるが、バネ１５が若干強い場合には、支持体１２は蓋の裏面に強く挟着されて、支持体１２の回転を困難にすることによって、支持体１２が雨水溝２から抜けることを防止できるので、回転停止溝５は必ずしも必要がないし、吊り具を装着後、回転しないように注意しながら吊り上げることもできるので、回転停止溝５は必ずしも必要がない。
また、本願の吊り具は、側溝蓋に対するものであるが、吊り上げる対象物は側溝蓋に限定されないことはいうまでもない。
【符号の説明】
【００１７】
１  側溝蓋
３  回転溝
５  回転停止溝
１０  操作体
１１  軸体
１２  支持体
１３  受け体
１４  押え体
１５  バネ
【図１】
2013108240.tif 000003
【図２】
2013108240.tif 000004
【図３】
2013108240.tif 000005
【図４】
2013108240.tif 000006
【図５】
2013108240.tif 000007
【図６】
2013108240.tif 000008
【図７】
2013108240.tif 000009